(57)【要約】      （修正有）【課題】リングファイルに綴じた複数のルーズリーフが傾かないシート体を提供する。【解決手段】ルーズリーフ１００は、上部可動穴１０６及び下部可動穴１０７がルーズリーフの長辺端縁方向で偏心して設けられている。ルーズリーフが正しい位置、即ちリングＲの中心を接続する仮想線と、ルーズリーフの端縁が平行になっている状態で上部可動穴に着目すると、リングＲが標準リング穴１の図中右端１ａに当接し、下部可動穴に着目すると、リングＲが標準リング穴１の図中左端１ｂに当接する。リングファイルを立てると、ルーズリーフが自重で傾きながら落ちようとするところ、本発明では、ルーズリーフをリングファイルに綴じた状態でリングＲが上部可動穴の標準リング穴１の図中右端１ａに当接し且つリングＲが下部可動穴の標準リング穴１の図中左端１ｂに当接する結果、ルーズリーフが傾くことがない。【選択図】図５
2018065371.tif 000002
【特許請求の範囲】
【請求項１】
リングファイルに綴じるルーズリーフ、クリアポケットその他のリングファイル用シート体であって、
リングファイルのリングを通す上部可動穴と、
上部可動穴よりもシート体の綴じ側の長辺端縁側にずれて設けられ前記リングファイルのリングを通す下部可動穴と、を有し、
前記上部可動穴及び下部可動穴は、前記シート体の端辺近傍の標準規定位置に設けられたリングファイルのリングを通す標準リング穴と、前記リングが通る移動リング穴と、前記標準リング穴と移動リング穴とを連結する切断部とからなる、
ことを特徴とするリングファイル用シート体。
【発明の詳細な説明】
【技術分野】
【０００１】
本発明は、リングファイル（以下、リングファイルにはパイプ式ファイルを含むものとする）に複数綴じて閲覧等を行うルーズリーフ等のリングファイル用シート体に関するものである。
【背景技術】
【０００２】
所謂リングファイルは、パンチにより端縁近傍に所定寸法及び間隔で穴をあけた書類を留めていく文具であり、現在広く普及している。リングファイルは、綴じた書類をめくり易いため、閲覧に適したものと言える。また、リングファイルは、書類の分類、整理、持ち運び、保管等の多種の用途で用いられる。
【０００３】
現在、特許文献１に記載されているようなリングファイルのシート体が知られている。図９は、従来のリングファイルのシート体の一部を示す平面図である。図１０は、図９のシート体５００をリングファイルに綴じた状態の一部分を示す説明図である。このリングファイルのシート体５００は、２穴式のルーズリーフ５００であり、その一端部には、リングファイルのリングＲ（パイプ式ファイルの場合はパイプ。以下同様。図示省略）を通す標準リング穴５１が形成される。この標準リング穴５１は、当該ルーズリーフ５００を綴じるリングファイルのリングＲの間隔と同じ間隔で形成される。
【０００４】
また、標準リング穴５１に対して前記ルーズリーフ５００の端縁に略並行する方向に、更に移動リング穴５２がもう一つ形成されている。図９の例では、リング穴５１，５２は合計４個となり、各リングＲに対して１組のリング穴５１，５２が対応することになる。更に、標準リング穴５１と移動リング穴５２の組は、直線的な溝状ないし矩形切欠き状の切断部３により連結している。また、前記切断部３は、標準リング穴５１と移動リング穴５２の接線のごとく設けられる。即ち、リング穴５１，５２の中心同士を接続する直線ではなく、この中心から一方向（ルーズリーフ５００の長辺端縁方向又はその反対方向）にずらして設けられる。
【０００５】
次に、切断部３とリング穴５１，５２との結合位置には、リング穴５１，５２から切断部３にリングＲが移動しやすくするための導入部５４が形成されている。この導入部５４は、楔形状ないし三角形であり、一辺がリング穴５１，５２に対して開口するように、先端が切断部３に一致するように形成される。換言すれば、導入部５４はリング穴５１，５２の一部から切断部３まで切り込まれて形成される。一方、リング穴５１，５２、切断部３、導入部５４により標準リング穴５１と移動リング穴５２との間にフラップ５５が形成される。
【０００６】
なお、上記リング穴５１，５２、切断部３及び導入部５４を可動穴５６と総称する。フラップ５５は、リングＲが標準リング穴５１と移動リング穴５２との間を通るとき、ルーズリーフ５００の紙面に略垂直方向に動いてリングＲの移動を可能とし、リングＲが移動し終わったら元に戻り、リングＲが一方のリング穴５１，５２から容易に移動しないようにする。これは、リングＲを一方のリング穴５１，５２に位置を固定する効果がある。
【０００７】
次に、このルーズリーフ５００の使用方法を説明する。図１０（ａ）に示すように、ルーズリーフ５００を、前記標準リング穴５１を用いてリングＲに通してリングファイルに綴じる。このようなルーズリーフ５００を同様にして複数枚、当該リングファイルに綴じるようにする。この状態でリングＲは、標準リング穴５１に位置決めされる。ユーザは、通常の使用方法として、ルーズリーフ５００をめくって閲覧、記入できる。また、全てのルーズリーフ５００が、図１０（ｂ）に示すように、上端が揃った状態にある。このとき、標準リング穴５１を通るリングＲは、フラップ５５によりルーズリーフ５００との相対移動が阻止されており、ユーザが力を加えない状態で移動することはない。また、導入部５４もリングＲの移動方向に一定の傾斜を有するので、この傾斜部分（フラップ５５端縁）がリングＲの移動を抑制している。
【０００８】
次に、ユーザが、リングファイルに綴じている任意のルーズリーフ５００をリングファイルの上方に引っ張ると、図１０（ｃ）に示すように、標準リング穴５１から移動リング穴５２にリングＲが移動して、当該ルーズリーフ５００が標準リング穴５１と移動リング穴５２との距離分だけ移動する。これにより、当該ルーズリーフ５００は、図１０（ｄ）に示すように、他のルーズリーフ５００に比べて上方に飛び出た状態となる。リングＲは、図１０（ｅ）に示すように、移動する際に標準リング穴５１の導入部５４にガイドされつつ相対移動する。フラップ５５は、ユーザの引っ張る力によりリングＲにより開き、リングＲが切断部３に侵入し、通過する。そして、リングＲが移動リング穴５２に入る。この状態でユーザは引っ張るのを止める。リングＲは、フラップ５５により移動リング穴５２で固定される。
【０００９】
前記ルーズリーフ５００を上方に飛び出させた状態で、ルーズリーフ５００の横端縁（可動穴５６を設けた端縁とは反対側の端縁。図示省略）は、他のルーズリーフ５００と同じ位置にあるから、閲覧、記入の際に使用し難くなることはない。ルーズリーフ５００が上方に飛び出ることで、例えばどこまで閲覧又は記入をしたか簡単に位置を特定できる。即ち、ルーズリーフ５００自体が上方に移動して栞として機能することになる。
【００１０】
次に、当該飛び出したルーズリーフ５００をもとに戻す。ユーザが当該ルーズリーフ５００の下端を引っ張ると、リングＲが移動リング穴５２から導入部５４によりガイドされつつ相対移動し、フラップ５５を押し開け、切断部３を通過して標準リング穴５１に戻る。フラップ５５が閉じることでリングＲが標準リング穴５１に固定される。これにより、図１０（ｂ）に示すように、全てのルーズリーフ５００の上端が揃った状態となる。
【先行技術文献】
【特許文献】
【００１１】
【特許文献１】国際公開第２０１５／１５６３３２号
【発明の概要】
【発明が解決しようとする課題】
【００１２】
ここで、本発明の解決しようとする課題を明確にするため、以下の寸法を仮定する。上記従来のルーズリーフ５００の標準リング穴５１及び移動リング穴５２の直径を、リングＲが標準リング穴５１で保持されやすくするようにリングＲの直径よりも、４ｍｍ大きくする。具体的には、リングＲの直径が５ｍｍとなるのに対し、標準リング穴５１の直径を９ｍｍとする。この寸法設定の場合、リングＲが標準リング穴５１に引っ掛かりやすくなるので、意図せずルーズリーフ５００が移動することを防止できるという利点がある。
【００１３】
図１１乃至図１４は、ルーズリーフ５００が傾いた状態を示す説明図である。上記のように、標準リング穴５１の径が大きくなると、リングＲとの隙間が大きくなることから、ルーズリーフ５００が上下動の他、横方向にも若干動いてしまう。このため、ルーズリーフ５００を立てて使用する場合、図１１の実線で示すように、自重によりルーズリーフ５００が傾いてしまう。即ち、リングＲと標準リング穴５１とが略同径であれば、ルーズリーフ５００を立てても殆ど傾くことがないが、標準リング穴５１をリングＲの径より大きくすると、その隙間に起因して上側の標準リング穴５１の右側端部５１ａがリングＲに当接するまで（図１２(ａ)を参照）、下側の標準リング穴５１の左側端部５１ｂがリングＲに当接するまで、自重により傾く結果となる。なお、図１１中、ルーズリーフ５００の好ましい位置（傾いていない状態）を一点鎖線で示す。
【００１４】
同様に、図１３に示すように、ルーズリーフ５００を上にあげてリングＲが移動リング穴５２に移動した場合でも、上側の移動リング穴５２の右側端部５２ａがリングＲに当接するまで、下側の移動リング穴５２の左側端部５２ｂがリングＲに当接するまで、自重により傾く結果となる。なお、図１３中、ルーズリーフ５００の好ましい位置（傾いていない状態）を一点鎖線で示す。
【００１５】
ルーズリーフ５００が傾くことで、複数のルーズリーフ５００をリングファイルに綴じた場合、見栄えが悪いという問題点がある。本発明は、係る問題点を解決するためになされたものである。
【課題を解決するための手段】
【００１６】
本発明に係るリングファイル用シート体は、リングファイルに綴じるルーズリーフ、クリアポケットその他のリングファイル用シート体であって、リングファイルのリングを通す上部可動穴と、上部可動穴よりもシート体の綴じ側の長辺端縁側にずれて設けられ前記リングファイルのリングを通す下部可動穴と、を有し、前記上部可動穴及び下部可動穴は、前記シート体の端辺近傍の標準規定位置に設けられたリングファイルのリングを通す標準リング穴と、前記リングが通る移動リング穴と、前記標準リング穴と移動リング穴とを連結する切断部とからなる、ことを特徴とする。
【００１７】
また、本発明に係るリングファイル用シート体は、リングファイルに綴じるルーズリーフ、クリアポケットその他のリングファイル用シート体であって、前記シート体の端辺近傍の標準規定位置に設けられたリングファイルのリングを通す標準リング穴、前記標準リング穴よりも前記リングファイル用シート体の長辺端縁側と反対側に偏って設けられ且つ前記リングが通る移動リング穴、前記標準リング穴および移動リング穴を連結する切断部、からなる上部可動穴と、前記シート体の端辺近傍の標準規定位置から前記シート体の綴じ側の長辺端縁側にずれて設けられ且つ前記リングファイルのリングを通す標準リング穴、前記リングが通る移動リング穴、前記標準リング穴および移動リング穴を連結する切断部、からなる下部可動穴と、を備えたことを特徴とする。
【００１８】
また、本発明に係るリングファイル用シート体は、リングファイルに綴じるルーズリーフ、クリアポケットその他のリングファイル用シート体であって、前記シート体の端辺近傍の標準規定位置に設けられたリングファイルのリングを通す標準リング穴、前記標準リング穴よりも前記リングファイル用シート体の長辺端縁側と反対側に偏って設けられ且つ前記リングが通る移動リング穴、前記標準リング穴および移動リング穴を連結する切断部、からなる上部可動穴と、前記シート体の端辺近傍の標準規定位置から前記シート体の綴じ側の長辺端縁側にずれて設けられ且つ前記リングファイルのリングを通す標準リング穴、前記標準リング穴よりも前記リングファイル用シート体の長辺端縁側に偏って設けられ且つ前記リングが通る移動リング穴、前記標準リング穴および移動リング穴を連結する切断部、からなる下部可動穴と、を備えたことを特徴とする。
【図面の簡単な説明】
【００１９】
【図１】この発明の実施の形態１に係るリングファイルのシート体を示す平面図である。
【図２】図１の一部拡大図である。
【図３】図１の一部拡大図である。
【図４】ルーズリーフの使用状態を示す説明図である。
【図５】ルーズリーフの使用状態を示す説明図である。
【図６】図１に示したルーズリーフの変形例を示す平面図である。
【図７】図１に示したルーズリーフの変形例を示す平面図である。
【図８】図１に示したルーズリーフの変形例を示す平面図である。
【図９】従来のリングファイルのシート体の一部を示す平面図である。
【図１０】図９のシート体をリングファイルに綴じた状態の一部分を示す説明図である。
【図１１】仮定寸法におけるルーズリーフの使用状態を示す説明図である。
【図１２】図１１の一部拡大図である。
【図１３】仮定寸法におけるルーズリーフの使用状態を示す説明図である。
【図１４】図１３の一部拡大図である。
【発明を実施するための形態】
【００２０】
図１は、この発明の実施の形態１に係るリングファイルのシート体を示す平面図である。図２は、図１の一部拡大図である。このシート体１００は、例えばルーズリーフ１００であり、以下ルーズリーフ１００として説明する。なお、シート体１００としては、ファイル構造のルーズリーフや厚紙に穴を空けたもの等、厚さが薄い物であれば本発明を適用できる。このルーズリーフ１００は、上部可動穴１０６及び下部可動穴１０７がルーズリーフ１００の長辺端縁Ｔ方向で偏心して設けられている点に特徴がある。換言すると、下部可動穴１０７が、上部可動穴１０６よりもルーズリーフ１００の綴じ側の長辺端縁Ｔ側にずれて設けられている。なお、リングＲの直径は、５ｍｍである。図２の寸法単位はｍｍである。
【００２１】
上部可動穴１０６について、ルーズリーフ１００の一端部には、リングファイルのリングＲを通す標準リング穴１が形成される。標準リング穴１は、ルーズリーフ１００の図中右端縁Ｔから１３．６ｍｍの位置に中心が設定され、当該標準リング穴１の直径は８．２５ｍｍである（図２参照）。リングＲの直径との差は３．２５ｍｍとなる。標準リング穴１に対して前記ルーズリーフ１００の端縁に略並行する方向に、更に移動リング穴２がもう一つ形成されている。移動リング穴２は、上記標準リング穴１の下方２２ｍｍの位置であって、当該標準リング穴１の中心からの下垂線に対して図中右（綴じ側）端縁Ｔの反対側に２度傾いた軸線上にその中心が設定される。当該移動リング穴２の直径は８．２５ｍｍである（図２参照）。換言すれば、前記移動リング穴２は、前記標準リング穴１よりも前記ルーズリーフ１００の長辺端縁側と反対側に偏って設けられる。
【００２２】
また、標準リング穴１と移動リング穴２は、直線的な溝状ないし矩形切欠き状の切断部３により連結している。また、前記切断部３は、標準リング穴１と移動リング穴２の中心点どうしを接続する直線のごとく設けられる。この切断部３の幅は、０．１ｍｍから１ｍｍ程度に設定するのが好ましい。これら標準リング穴１、移動リング穴２及び切断部３により全体が鉄アレイ状の穿孔部分が形成される。
【００２３】
次に、下部可動穴１０７について、ルーズリーフ１００の一端部には、リングファイルのリングＲを通す標準リング穴１が形成される。標準リング穴１は、ルーズリーフ１００の図中右（綴じ側）端縁Ｔから１０．４ｍｍの位置に中心が設定され、当該標準リング穴１の直径は８．２５ｍｍである（図２参照）。即ち、この標準リング穴１は、前記ルーズリーフ１００の端辺近傍の標準規定位置（上部可動穴１０６の標準リング穴１の位置）から綴じ側の長辺端縁側にずれて設けられている。また、標準リング穴１に対して前記ルーズリーフ１００の端縁に略並行する方向に、更に移動リング穴２がもう一つ形成されている。移動リング穴２は、上記標準リング穴１の下方２２ｍｍの位置であって、当該標準リング穴１の中心からの下垂線に対して図中右（綴じ側）端縁Ｔ側に２度傾いた軸線上にその中心が設定される。当該移動リング穴２の直径は８．２５ｍｍである（図２参照）。即ち、この移動リング穴２は、上部可動穴１０６の移動リング穴２とは反対側に傾いて設けられる。換言すれば、前記移動リング穴２は、前記標準リング穴１よりも前記ルーズリーフ１００の長辺端縁側に偏って設けられる。
【００２４】
また、標準リング穴１と移動リング穴２は、上部可動穴１０６と同様、直線的な溝状ないし矩形切欠き状の切断部３により連結している。また、前記切断部３は、標準リング穴１と移動リング穴２の中心点どうしを接続する直線のごとく設けられる。この切断部３の幅は、０．１ｍｍから１ｍｍ程度に設定するのが好ましい。これら標準リング穴１、移動リング穴２及び切断部３により全体が鉄アレイ状の穿孔部分が形成される。
【００２５】
上部可動穴１０６及び下部可動穴１０７の標準リング穴１どうしは、当該ルーズリーフ１００を綴じるリングファイルのリングＲ間隔と同じ間隔で形成される。同間隔は、図２に示すように、８０ｍｍである。移動リング穴２どうしも、当該ルーズリーフ１００を綴じるリングファイルのリング間隔と同じ間隔で形成される。同間隔は、８０ｍｍである。
【００２６】
次に、このルーズリーフ１００の使用状態を図１乃至図５を用いて説明する。ルーズリーフ１００を、その標準リング穴１をリングＲに通してリングファイルに綴じる。このようなルーズリーフ１００を同様にして複数枚、当該リングファイルに綴じる。この状態でリングＲは、標準リング穴１に固定される。ユーザは、通常の使用方法として、ルーズリーフ１００をめくって閲覧、記入できる。この状態では、全てのルーズリーフ１００の上端が揃っている。
【００２７】
ルーズリーフ１００が正しい位置、即ちリングＲの中心を接続する仮想線Ｌと、ルーズリーフ１００の端縁が平行になっている状態で上部可動穴１０６に着目すると、図５（ａ）に示すように、リングＲが標準リング穴１の図中右（綴じ側）端１ａに当接し、下部可動穴１０７に着目すると、リングＲが標準リング穴１の図中左端１ｂに当接する。リングファイルを立てると、ルーズリーフ１００が自重で傾きながら落ちようとするところ、本発明では、ルーズリーフ１００をリングファイルに綴じた状態でリングＲが上部可動穴１０６の標準リング穴１の図中右（綴じ側）端１ａに当接し且つリングＲが下部可動穴１０７の標準リング穴１の図中左端１ｂに当接する結果、ルーズリーフ１００が傾くことがない。なお、実際には、リングファイルの傾き加減やルーズリーフどうしの摩擦力によりリングＲは図中右端１ａ、図中左端１ｂから多少ずれて標準リング穴１に当接することになるが、発明内容を理解しやすくするため、同図に示す当接関係において説明している。
【００２８】
次に、ユーザが、リングファイルに綴じている任意のルーズリーフ１００をリングファイルの上方に引っ張ると、標準リング穴１から移動リング穴２にリングＲが移動して、当該ルーズリーフ１００が標準リング穴１と移動リング穴２との距離分だけ移動する。これにより、当該ルーズリーフ１００は、他のルーズリーフ１００に比べて上方に飛び出た状態となる（図４中で移動させたルーズリーフ１００を実線で、移動していないルーズリーフ１００を一点鎖線で示す。）。ユーザの引っ張る力によりリングＲが切断部３に侵入し、通過する。そして、リングＲが移動リング穴２に入るので、この状態でユーザは引っ張るのを止める。
【００２９】
当該状態で、上部可動穴１０６に着目すると、リングＲが移動リング穴２の図中右（綴じ側）端２ａに当接し、下部可動穴１０７に着目すると、リングＲが移動リング穴２の図中左端２ｂに当接する。よって、上記同様、リングファイルを立てた状態で、リングＲが移動リング穴２の図中右（綴じ側）端２ａに当接し、且つ、リングＲが移動リング穴２の図中左端２ｂに当接するため、ルーズリーフ１００が傾くことがない。
【００３０】
また、上部可動穴１０６では、移動リング穴２が端縁Ｔの反対側に僅かに偏っており、下部可動穴１０７では、移動リング穴２が端縁Ｔ側に僅かに偏っていることから、ルーズリーフ１００は、図４に示すように、自重により傾く方向とは反対方向に僅かな傾きをもって保持される。実際には、リングＲは図中右端２ａ、図中左端２ｂから多少ずれて移動リング穴２に当接することになるが、同図では、理解のため最も自重により傾く方向とは反対方向に僅かな傾きが生じた場合を示している。換言すれば、前記移動リング穴２の僅かな偏りにより、ルーズリーフ１００が少なくとも自重傾き方向に傾くことはない。また、ルーズリーフ１００が面方向に多少撓んでも当該僅かな偏りがルーズリーフ１００の姿勢を自重による傾きを生じさせることなく保持するのである。
【００３１】
この結果、前記ルーズリーフ１００を上方に飛び出させた状態でも、ルーズリーフ１００の横端縁は、他のルーズリーフ１００と同じ位置にあるから、閲覧、記入の際に使用し難くなることはない。そして、ルーズリーフ１００が上方に飛び出ることで、例えばどこまで閲覧又は記入をしたか簡単に位置を特定できる。即ち、ルーズリーフ１００自体が上方に移動して栞として機能することになる。
【００３２】
以上、本発明のルーズリーフ１００によれば、リングファイルに綴じた状態でルーズリーフ１００が傾くことがないので、全体の見た目が整然として綺麗になる。また、ルーズリーフ１００が上下方向に移動可能となるので栞やインデックスの代わりになり、閲覧、記入等をしたところを簡単に識別できるようになる。また、栞等の余計な部材は不要である。
【００３３】
また、図６に示すように、下部可動穴１０７において、標準リング穴１と移動リング穴２との中心どうしを結ぶ直線がルーズリーフ１００の端縁Ｔと平行になる（上記僅かな偏りをもたせない）ようにしても良い。この場合でも、上部可動穴１０６において、上記僅かな偏りが設けられていることから、ルーズリーフ１００が少なくとも自重傾き方向に傾くことはない。
【００３４】
なお、上記実施の形態１において具体的に明示した寸法は、本発明の作用・効果を奏する範囲で適宜変更できるものである。
【００３５】
更に、本発明のルーズリーフ１００によれば、上部可動穴１０６及び下部可動穴１０７の偏心（ずれ）量を調整することで、標準リング穴１及び移動リング穴２の口径にかかわらずルーズリーフ１００の傾きを防止できる。本発明は、標準リング穴１及び移動リング穴２の口径が大きくなればなるほど、その有利かつ特異な効果が顕著となる。標準リング穴１及び移動リング穴２の口径を大きくすると、切断部３にリングが自重で入り難くなるため、姿勢を保つのに好適となる。また、口径が大きくなるとルーズリーフ１００の切断部３の周囲が広がる際の負荷が少ないため、幅広い素材で本発明を利用でき、耐久性が向上するようになる。
【００３６】
図７は、標準リング穴及び移動リング穴の口径と、リングＲの径の比を示す説明図である。上述のように、本発明によれば、標準リング穴１及び移動リング穴２の口径が大きいことで有利な作用効果が得られるものであり、その一方で大きすぎるとルーズリーフ１００としての基本的な機能が損なわれる。このため、リングＲの直径の１．５倍以上２．５倍以下とするのが好ましい。
【００３７】
また、図８（ａ）のように、標準リング穴１及び移動リング穴２の形状を楕円形状にしても良い。図８（ｂ）に穴形状の拡大図を示す。楕円形状にすることでリングＲが標準リング穴１及び移動リング穴２に係止されやすくなり、自重でリングＲが切断部３に入るのを防止できる。また、横長の楕円形状とすることでルーズリーフ１００が無用に上下方向に移動するのを防止できる。
【符号の説明】
【００３８】
１００  ルーズリーフ（シート体）
１  標準リング穴
２  移動リング穴
３  切断部
１０６，１０７  可動穴
Ｒ  リング（パイプ）
【図１】
2018065371.tif 000003
【図２】
2018065371.tif 000004
【図３】
2018065371.tif 000005
【図４】
2018065371.tif 000006
【図５】
2018065371.tif 000007
【図６】
2018065371.tif 000008
【図７】
2018065371.tif 000009
【図８】
2018065371.tif 000010
【図９】
2018065371.tif 000011
【図１０】
2018065371.tif 000012
【図１１】
2018065371.tif 000013
【図１２】
2018065371.tif 000014
【図１３】
2018065371.tif 000015
【図１４】
2018065371.tif 000016